(57)【特許請求の範囲】
【請求項１】
直流電源に接続された第１半導体スイッチ素子と第２半導体スイッチ素子との直列回路と、前記第１半導体スイッチ素子と第２半導体スイッチ素子との直列接続点と前記直流電源との間に接続された変圧器の一次巻線とコンデンサとの直列回路と、前記第１半導体スイッチ素子と第２半導体スイッチ素子をそれぞれ駆動するための駆動巻線と、前記変圧器の二次巻線に接続された整流回路とを備え、前記駆動巻線に発生する電圧によって前記第１半導体スイッチ素子と第２半導体スイッチ素子をオンさせることにより自励発振する自励発振型電力変換器を、間欠駆動させる自励発振型電力変換器の間欠駆動装置において、
負荷電流または負荷電流相当の電流を検出する電流検出器と、パルス発生回路と、前記自励発振型電力変換器の出力電圧を検出するとともに、その検出電圧を所定の電圧に一致させるための電圧検出，調節回路とを設け、
前記パルス発生回路は、前記第１半導体スイッチ素子に対し、前記電流検出器による検出電流値が所定値以上になったときは、前記自励発振を停止する第１の間欠駆動パルスを与え、
前記電流検出器による検出電流値が所定値以下になったときは、前記電圧検出，調節回路の出力に応じてパルス幅が調節され前記自励発振を起動させるための第２の間欠駆動パルスを出力することを特徴とする自励発振型電力変換器の間欠駆動装置。
【発明の詳細な説明】
【０００１】
【発明の属する技術分野】
この発明は、直流電源から半導体スイッチ素子を駆動する巻線を具備した変圧器を介して任意の直流出力に変換する自励発振型電力変換器、特に軽負荷時の電力損失を低減するための間欠駆動装置に関する。
【０００２】
【従来の技術】
図３に従来例を示す。
すなわち、直流電源１１、コンデンサ４、変圧器一次巻線２１、半導体スイッチ素子７１および電流制限用抵抗９１を直列に接続し、半導体スイッチ素子７２とコンデンサ５との並列回路をコンデンサ４と変圧器一次巻線２１との間に並列に接続し、変圧器駆動巻線２４を半導体スイッチ素子７１のゲート・ソース間に抵抗８１を介して、また、変圧器駆動巻線２５を半導体スイッチ素子７２のゲート・ソース間に抵抗８２を介してそれぞれ接続し、半導体スイッチ素子７１のゲート・ソース間にはダイオード１１１およびトランジスタ１０１と、直流電源１２、トランジスタ１０２およびダイオード１１２をそれぞれ接続し、半導体スイッチ素子７１と電流制限用抵抗９１の接続点には電流検出回路１３１およびトランジスタ１０１のベースにベース抵抗９２を介して接続し、電流検出回路１３１からパルス発生回路１４１に、パルス発生回路１４１からトランジスタ１０１，１０２のベース端子にそれぞれ接続し、変圧器二次巻線２２，２３にはダイオード６１，６２および平滑用コンデンサ３を接続し、直流出力から出力電圧検出，調節回路１２１を介して接続するようにしている。
【０００３】
以上のような回路で、電流検出回路１３１は抵抗９１の電圧を検出する。抵抗９１の電圧は半導体スイッチ素子７１に流れる電流にほぼ比例しており、また、この電圧を平滑することにより、等価的に負荷電流を検出することになる。電流検出回路１３１により検出した値が、或る任意の値以下となった（軽負荷時となった）場合、パルス発生回路１４１が動作し、或る任意の期間トランジスタ１０１がオンし、半導体スイッチ素子７１のゲート・ソース間を短絡し、半導体スイッチ素子７１をオフさせる。その後トランジスタ１０１をオフし、トランジスタ１０２を或る任意の期間オンさせ、自励発振動作を開始させる。電流検出回路１３１により検出した値が、或る任意の値以上となった（重負荷時となった）場合、自励発振動作を継続させ、トランジスタ１０１，１０２は動作させない。
つまり、軽負荷時において自励発振動作を停止させることにより、半導体スイッチ素子７１，７２の出力容量、コンデンサ４，５の充放電エネルギーなどが小さくなり、電力損失が低減する。
【０００４】
図４に、図３における軽負荷時の間欠パルス（トランジスタ１０１，１０２の駆動電圧）波形、および半導体スイッチ素子７１のゲート電圧波形を示す。
いま、トランジスタ１０１をオフ、トランジスタ１０２をＴａの期間オンすると、半導体スイッチ素子７１に正のゲート電圧が印加され、自励発振動作が開始する。自励発振動作が継続している期間は変圧器一次巻線２１から変圧器二次巻線２２，２３を介して負荷に電力が供給される。その後、トランジスタ１０１がオンすることにより、半導体スイッチ素子７１には正のゲート電圧が印加されないため、オンしない。しかしながら、半導体スイッチ素子７１には出力容量が存在するため共振電流は減衰しながら流れ続け、変圧器駆動巻線２４，２５には共振電圧が印加される。
【０００５】
【発明が解決しようとする課題】
図３のような回路では、トランジスタ１０２のオン時間Ｔａは一定であり、そのためこのオン時間Ｔａを広くすると負荷が軽いときに出力電圧が上がりすぎ、反対に狭くすると重負荷時の起動が十分にできない、などの問題が生じる。
したがって、この発明の課題は、自励発振型電力変換装置における軽負荷時の電力損失を低減させつつ、出力電圧を精度良く制御すること、起動を確実にすることなどにある。
【０００６】
【課題を解決すための手段】
このような課題を解決するため、請求項１の発明では、直流電源に接続された第１半導体スイッチ素子と第２半導体スイッチ素子との直列回路と、前記第１半導体スイッチ素子と第２半導体スイッチ素子との直列接続点と前記直流電源との間に接続された変圧器の一次巻線とコンデンサとの直列回路と、前記第１半導体スイッチ素子と第２半導体スイッチ素子をそれぞれ駆動するための駆動巻線と、前記変圧器の二次巻線に接続された整流回路とを備え、前記駆動巻線に発生する電圧によって前記第１半導体スイッチ素子と第２半導体スイッチ素子をオンさせることにより自励発振する自励発振型電力変換器を、間欠駆動させる自励発振型電力変換器の間欠駆動装置において、
負荷電流または負荷電流相当の電流を検出する電流検出器と、パルス発生回路と、前記自励発振型電力変換器の出力電圧を検出するとともに、その検出電圧を所定の電圧に一致させるための電圧検出，調節回路とを設け、
前記パルス発生回路は、前記第１半導体スイッチ素子に対し、前記電流検出器による検出電流値が所定値以上になったときは、前記自励発振を停止する第１の間欠駆動パルスを与え、
前記電流検出器による検出電流値が所定値以下になったときは、前記電圧検出，調節回路の出力に応じてパルス幅が調節され前記自励発振を起動させるための第２の間欠駆動パルスを出力することを特徴とする。
【０００７】
【発明の実施の形態】
図１はこの発明の実施の形態を示す構成図で、パルス発生回路および出力電圧検出，調節回路の具体例を示す。
パルス発生回路１４１は、発振回路とコンデンサ１５１および抵抗１６１などより構成され、トランジスタ１０２のオン時間はコンデンサ１５１および抵抗１６１により決定される。さらに、抵抗１６２とトランジスタ１０３との直列回路を抵抗１６１と並列に接続し、トランジスタ１０３のベース端子には出力電圧検出，調節回路１２１を接続する。この出力電圧検出，調節回路１２１は変換器出力電圧を検出する検出器と、その検出電圧を設定値Ｖｏに一致させるための調節演算を行ない、検出電圧と設定値Ｖｏとの偏差に応じた出力を出す良く知られた調節器とを備えている。
【０００８】
図２は図１の動作を説明するための波形図である。これは、出力電圧、軽負荷時の間欠パルス（トランジスタ１０１，１０２駆動電圧）および半導体スイッチ素子７１のゲート電圧の各波形を示す。この図は、トランジスタ１０２のオンパルス幅を出力電圧検出，調節回路１２１からの出力により任意の幅に変化させることで、半導体スイッチ素子７１のゲート電圧印加時間を調節し、結果的に出力電圧の平均値を出力電圧設定値に等しくすることを表わしている。
【０００９】
以下、図２も参照しながらこの発明の動作について説明する。
いま、出力電圧がその設定値Ｖｏよりも大きくなると、出力電圧検出，調節回路１２１の出力が大きくなり、トランジスタ１０３のベース電流が増加し、トランジスタ１０３のコレクタ−エミッタ間の抵抗分が低下する。結果的に、抵抗１６１，１６２およびコレクタ−エミッタ間の合成抵抗値が小さくなるため、パルス発生回路１４１から出力されるトランジスタ１０２を駆動するための電圧幅が、例えば図２にＴａ１で示すように狭くなる。
【００１０】
これに対し、出力電圧がその設定値よりも小さくなると、出力電圧検出，調節回路１２１の出力が小さくなり、トランジスタ１０３のベース電流が減少し、トランジスタ１０３のコレクタ−エミッタ間の抵抗分が増加する。結果的に、抵抗１６１，１６２およびコレクタ−エミッタ間の合成抵抗値が大きくなるため、パルス発生回路１４１から出力されるトランジスタ１０２を駆動するための電圧幅が、例えば図２にＴａ２で示すようにＴａ１よりも広くなる。
このように、トランジスタ１０２のオンパルス幅を、出力電圧検出，調節回路１２１の出力（電圧）に応じて変化させ、半導体スイッチ素子７１のゲート電圧印加時間を調節し、結果的に出力電圧の平均値を出力電圧設定値と等しくなるようにしている。
【００１１】
また、起動時には、トランジスタ１０３にはベース電流は供給されないため、トランジスタ１０３はオフとなって合成抵抗が抵抗１６１のみで決定されることから、トランジスタ１０２を駆動するための電圧幅は、起動のためには十分な幅が確保される。
【００１２】
【発明の効果】
この発明によれば、自励発振型電力変換器の間欠駆動において、出力電圧検出，調節回路の出力により間欠駆動パルス幅を変化させ、半導体スイッチ素子のゲート電圧印加時間を調節することにより、出力電圧を一定値となるように制御できるだけでなく、重負荷時にも確実な起動を可能とすることができる利点が得られる。
【図面の簡単な説明】
【図１】この発明の実施の形態を示す構成図である。
【図２】図１の動作説明図である。
【図３】従来例を示す回路図である。
【図４】図３の動作説明図である。
【符号の説明】
１１，１２…直流電源、２…変圧器、２１…変圧器一次巻線、２２，２３…変圧器二次巻線、２４，２５…駆動巻線、３…平滑用コンデンサ、４，５，１５１…コンデンサ、６１，６２，１１１，１１２…ダイオード、７１，７２…半導体スイッチ素子、８１，８２…ゲート抵抗、９１…電流制限用抵抗、９２…ベース抵抗、１０１，１０２，１０３…トランジスタ、１２１…出力電圧検出，調節回路、１３１…電流検出回路、１４１…パルス発生回路、１６１，１６２…抵抗。
【図１】
0004423455.tif 000002
【図２】
0004423455.tif 000003
【図３】
0004423455.tif 000004
【図４】
0004423455.tif 000005